(57)【要約】      （修正有）【課題】箸をスマートに携帯することができる箸先保護部材の提供する。【解決手段】箸Ａの携帯に際して該箸の先端部を保護する箸先保護部材１である。これは薄い帯状に形成された本体部２と、本体部２の一方の端部に設けられた左右一対の取付部３と、取付部３に設けられた接続部４とからなる。本体部２は、箸Ａの先端部を挿入できる程度に隙間を空けながら縦方向に二重に折り曲げられ、左右一対の取付部３は折り曲げられた状態の本体部１を包み込む態様で折り曲げられ、接続部４は折り曲げられた状態の左右一対の取付部３を互いに接続する。【選択図】図４
0003140124.tif 000002
【実用新案登録請求の範囲】
【請求項１】
箸の携帯に際して該箸の先端部を保護する箸先保護部材であって、
薄い帯状に形成された本体部と、該本体部の一方の端部に設けられた左右一対の取付部と、該取付部に設けられた接続部とからなり、
前記本体部は、箸の先端部を挿入できる程度に隙間を空けながら縦方向に二重に折り曲げられ、前記左右一対の取付部は折り曲げられた状態の本体部を包み込む態様で折り曲げられ、前記接続部は折り曲げられた状態の左右一対の取付部を互いに接続するものとなされていることを特徴とする箸先保護部材。
【請求項２】
前記本体部は、箸先が接触する内面が合成樹脂製に形成されている請求項１に記載の箸先保護部材。
【請求項３】
前記接続部は、互いに嵌合可能な釦からなる請求項１または請求項２に記載の箸先保護部材。
【請求項４】
前記本体部および／または前記取付部は、表面に装飾が施されている請求項１ないし請求項３のいずれかに記載の箸先保護部材。
【請求項５】
箸の長さに応じて細長い袋体状に形成されるとともに、上部が合掌状に開閉可能な開口部となされ、該開口部の周縁部には金属製又は合成樹脂製の口金が取り付けら箸入れが付属された請求項１ないし請求項４のいずれかに記載の箸先保護部材。
【考案の詳細な説明】
【技術分野】
【０００１】
本考案は、箸の携帯に際して該箸の先端部を保護する箸先保護部材に関するものである。
【背景技術】
【０００２】
近年、環境保護などの観点から、主に若い女性を中心に自分の箸を携帯し、外で昼食をとる際にその箸を使用することが注目され始めている。そして、箸を携帯するに際しては、従来から弁当箱に付属しているプラスチック製の箸箱に収容してカバンに入れる場合が多かった。
【０００３】
しかしながら、従来のプラスチック製の箸箱では、箸がそのまま収容されるために衛生的に問題があり、持ち運びに際して箸箱内で箸が当たることによりカラカラと異音が発生するという問題があった。
【０００４】
特に若い女性にとって箸が衛生的でないことや、箸の当たる異音が発生することは好まれず、スマートに箸を携帯することが重要である。
【考案の開示】
【考案が解決しようとする課題】
【０００５】
本考案は、上述の背景に鑑みてなされたものであって、箸をスマートに携帯することができる箸先保護部材の提供を課題とする。
【課題を解決するための手段】
【０００６】
本考案は、上記課題を解決するために、箸の携帯に際して該箸の先端部を保護する箸先保護部材であって、薄い帯状に形成された本体部と、該本体部の一方の端部に設けられた左右一対の取付部と、該取付部に設けられた接続部とからなり、前記本体部は、箸の先端部を挿入できる程度に隙間を空けながら縦方向に二重に折り曲げられ、前記左右一対の取付部は折り曲げられた状態の本体部を包み込む態様で折り曲げられ、前記接続部は折り曲げられた状態の左右一対の取付部を互いに接続するものとなされていることを特徴とする。
【０００７】
これによれば簡単かつ確実に箸先を保護することができる。このため箸の携帯に際して箸を衛生的に保つことができ、しかも箸が箸箱に当たる異音を発生することがない。さらに、外観上も非常にコンパクトで意匠性が高く、女性などは箸をスマートに携帯することが可能となる。
【０００８】
また、前記本体部は、箸先が接触する内面が合成樹脂製に形成されているのが好ましい。
【０００９】
これによれば、使用済みの箸先を保護したときに内面が汚れることがあるが、汚れを簡単に拭き取ることができる。
【００１０】
また、前記接続部は、互いに嵌合可能な釦からなるのが好ましい。これによれば、ワンタッチで箸先保護部材を袋状に形成することができる。
【００１１】
また、前記本体部および／または前記取付部は、表面に装飾が施されているのが好ましい。
【００１２】
これによれば、箸先保護部材の外観上の意匠性が向上する。特に箸に合わせて装飾するものとすればその意匠性の効果がさらに大きくなる。
【００１３】
また、箸の長さに応じて細長い袋体状に形成されるとともに、上部が合掌状に開閉可能な開口部となされ、該開口部の周縁部には金属製又は合成樹脂製の口金が取り付けら箸入れが付属されるのが好ましい。
【００１４】
これによれば、箸先を箸先保護部材で保護した箸を箸入れに収容することができる。この箸入れは従来のようなプラスチック製の箸箱と違い、箸を挟み込むように収容するために異音がすることがなく、また外観の意匠性も斬新であるために、女性などはより一層スマートに箸を携帯することができる。
【考案の効果】
【００１５】
本発明によれば、簡単かつ確実に箸先を保護することができる。このため箸の携帯に際して箸を衛生的に保つことができ、しかも箸が箸箱に当たる異音を発生することがない。さらに、外観上も非常にコンパクトで意匠性が高く、女性などは箸をスマートに携帯することが可能となる。
【考案を実施するための最良の形態】
【００１６】
次に本発明の一実施形態について図面を参照しつつ説明する。
【００１７】
図１は本実施形態に係る箸先保護部材（以下、本部材という）の展開正面図、図２は本部材の展開背面図である。
【００１８】
本部材（１）は、図１および図２に示すように、本体部（２）と、該本体部（２）の一方の端部に設けられた左右一対の取付部（３）と、該取付部（３）に設けられた接続部（４）とからなる。
【００１９】
前記本体部（２）は、布製の薄い帯状に形成されている。この本体部（２）の内面（２ａ）は合成樹脂製に形成されている。これにより、使用済みの箸先を保護したときに内面が汚れることがあるが、汚れを簡単に拭き取ることができる。
【００２０】
また、本体部（２）の表面（２ｂ）には装飾が施されている。これにより箸先保護部材の外観上の意匠性が向上する。特に箸（Ａ）に合わせて装飾するものとすればその意匠性の効果がさらに大きくなる。
【００２１】
前記取付部（３）は、前記本体部（２）の一方の端部に設けられた左右一対の矩形状の布製なるものである。取付部（３）の長さ（図１および図２の左右方向）は、本体部（２）と重なるように本体部（２）の幅程度のものとなされている。また、取付部（３）の表面（３ａ）には、本体部（２）と同様に装飾が施されており、本体部（２）と相まって外観の意匠性が向上する。
【００２２】
前記接続部（４）は、取付部（３）の端部に設けられた釦からなる。この釦は、左右の取付部（３）に設けられたもの同士で互いに嵌合するようになっており、後述するようにワンタッチで本部材（１）を袋状に形成することができる。なお、本実施形態では、接続部（４）を釦としたが、フックなどその他の接続構造であってもよい。
【００２３】
而して、本部材（１）の使用方法について図３を参照しつつ説明する。
【００２４】
図３（ａ）に示すように本体部（２）および取付部（３）を広げた状態から、図３（ｂ）に示すようにまず本体部（２）を縦方向に二重に折り曲げる。このとき二重になった本体部（２）の間には、箸（Ａ）の先端部を挿入できる程度に隙間を空けられている。
【００２５】
そして、図３（ｃ）に示すように前記左右一対の取付部（３）を折り曲げられた状態の本体部（２）を包み込む態様で折り曲げたあと、前記接続部（４）の釦を互いに止めることにより左右一対の取付部（３）を互いに接続する。
【００２６】
あとは、本体部（２）の二重の隙間に上部から箸先を挿入すれば、箸先を簡単かつ確実に保護することができる。
【００２７】
このため箸（Ａ）の携帯に際して衛生的に保つことができ、しかも箸（Ａ）が当たる異音を発生することがない。さらに、外観上も非常にコンパクトで意匠性が高く、女性などは箸（Ａ）をスマートに携帯することが可能となる。
【００２８】
図５は、本部材（１）ともにセットで使用される箸入れ（１０）である。
【００２９】
この箸入れ（１０）は、箸（Ａ）の長さに応じて細長い袋体状に形成された本体部（１１）と、上部が合掌状に開閉可能な開口部（１２）となされている。該開口部（１２）の周縁部には金属製又は合成樹脂製の口金（１３）が取り付けられ、口金（１３）の中央部には止め金（１４）が設けられている。
【００３０】
そして、図６に示すように、上述のように本部材（１）により箸先を保護した箸（Ａ）を箸入れ（１０）の中に入れたあと、上部の開口部（１２）を閉じれば、箸（Ａ）を挟着するような態様で収容することができる。
【００３１】
これによれば、従来のようなプラスチック製の箸箱と違い、箸を挟み込むように収容するために異音がすることがなく、また外観の意匠性も斬新であるために、女性などはより一層スマートに箸（Ａ）を携帯することができる。
【００３２】
なお、本部材（１）は主に箸先を保護するものであるが、図３に示すものとは別に、本体部（２）を背面側に折り曲げた後、同様にして本体部（２）を包み込むようにして取付部（２）を折り曲げて接続するものとすれば、食事中に箸先を本部材（１）に載置する箸置きとしても機能することができる。
【図面の簡単な説明】
【００３３】
【図１】本部材の展開正面図である。
【図２】本部材の展開背面図である。
【図３】本部材の組み立て方法を示す遷移図である。
【図４】本部材の装着状態を示す斜視図である。
【図５】本部材とセットで使用される箸入れの斜視図である。
【図６】本部材を装着した箸を箸入れに収容した状態を
【符号の説明】
【００３４】
１・・・本部材
２・・・本体部
３・・・取付部
４・・・接続部
【図１】
0003140124.tif 000003
【図２】
0003140124.tif 000004
【図３】
0003140124.tif 000005
【図４】
0003140124.tif 000006
【図５】
0003140124.tif 000007
【図６】
0003140124.tif 000008